(57)【要約】      （修正有）【課題】できるだけ少ない電気エネルギーで、外光が暗くなるとＬＥＤの適度な照度が得られ、また、外光があってもない所でもＬＥＤの照度が得られる装置を提供する。【解決手段】固定抵抗３と素子２を並列に繋ぐ事で、可変抵抗５の値を変えるだけで、素子２があるにも関わらず、外光が暗い時にＬＥＤ１１が光る様にも、外光に関わらずＬＥＤ１１が光る様にも出来る。また、固定抵抗３を入れる事により、素子２がショートしても、照明は点きっぱなしになり、適度な照明としての役割は果たし、素子２の抵抗値も調整できる。【選択図】図１
0003212198.tif 000002
【実用新案登録請求の範囲】
【請求項１】
光が入射すると、抵抗値が大きくなる素子（２）から出ている、二本の導線のうち、片方は、抵抗（３）から出ている二本の導線のうちの一本と、可変抵抗（５）から出ている二本の導線のうちの一本と、導線の接続点（６）で、繋がっていて、素子（２）のもう片方の導線は、抵抗（３）から出ている導線のうち、接続点（６）と繋がっていない方の導線と繋がっていて、さらに、抵抗（４）から出ている二本の導線のうちの片方と、繋がっていて、抵抗（４）のもう片方の導線は、正極（１２）と繋がっており、可変抵抗（５）の接続点（６）と繋がっていない、もう片方の導線は、負極（１３）と繋がっており、導線の接続点（６）は、さらに、抵抗（７）と繋がっていて、抵抗（７）から出ている二本の導線のうち、接続点（６）と繋がっていない方のもう一本の導線は、抵抗（８）とトランジスター（１６）のベースと繋がっていて、抵抗（８）から出ている二本の導線のうち、トランジスター（１６）と繋がっていない方の一本の導線は、負極（１３）と繋がっており、トランジスター（１６）のエミッターは負極（１３）と繋がっており、トランジスター（１６）のコレクターは、抵抗（９）から出ている二本の導線のうちの一本の導線と、さらに、発光素子（１１）から出ている二本の導線のうちの一本と繋がっていて、抵抗（９）のもう片方の一本の導線は、正極（１２）と繋がって、発光素子（１１）のもう片方の一本の導線は、抵抗（１０）と繋がっており、抵抗（１０）から出ている二本の導線のうち、発光素子（１１）と繋がっていない方の一本は、負極（１３）と繋がっている、装置。
【考案の詳細な説明】
【技術分野】
【０００１】  本考案は、センサー素子の応用方法の技術に属する。
【背景技術】
【０００２】  照明の点灯消灯の為に、センサー素子とトランジスターの性質であるエミッターとベース間の電流の発現現象を利用する技術を背景として持つ。
【先行技術文献】
【特許文献】
【０００３】
【特許文献１】特許公開（特許公開２０１４−０８７０４０）
【特許文献２】特許公開（特許公開２０１３−１１８６０２）
【実用新案文献１】
登録第３１９７１９４号
【実用新案文献２】
登録第３２０４９４７号
【考案の概要】
【考案が解決しようとする課題】
【０００４】  最小限の部品数で、ＬＥＤ（１１）の適度な照度（照明）と、少ない電気エネルギーで、外光が暗くなるとＬＥＤ（１１）の適度な照度（照明が付く）が得られ、また、素子（２）があるにも関わらず、外光が暗くても暗くない所でもＬＥＤ（１１）の照度（照明）が得られる様にする事。【０００５】  とりあえずＬＳＩ化（ワンチップ化）したいが、しなくても、安い汎用電子部品で電気的操作を得、適度な照度（照明）を得る事。【０００６】  将来的に小型化出来る様な構成にする事。
【課題を解決するための手段】
【０００７】  登録第３２０４９４７号では、三つのトランジスターを使用して、各々のトランジスターからの出力を利用して、目的とする動作をさせる為の初期信号を得ていた。【０００８】  しかし、本考案では、一つのトランジスター（１６）で高電圧信号を得れれば、それで良い事が解り、余計なトランジスターは不必要で、光を当てると抵抗値が変化する素子（２）の抵抗値が変化したときに、一つのトランジスター（１６）から高電圧信号を得れれば良い本考案の回路（図１）で、十分な高電圧信号を得られ、また、消費電力を抑えることができ、部品数も減らせた。【０００９】  また、固定抵抗（３）を、入れる事により、素子（２）がショートしても、照明は付きぱなしになり、適度な照明としての役割は果たす様になり、素子（２）の抵抗値も調整できるようになった。【００１０】  抵抗（４）を可変抵抗ではなく、固定抵抗（４）にして、適度な抵抗（４）値にしてやる事で、抵抗（４）値が極端に小さくされて可変抵抗（５）に大きい電流が流れる事を抑える事が出来る様になり、消費電力を抑えることが出来た。【００１１】  固定抵抗（１０）を入れて適度な抵抗（１０）値にしてやる事で消費電力を抑えることが出来、本考案の負極（１３）と、電源（１４）の負極（１８）の、間に、ヒューズ（１７）（図２）を入れれば、安全性が増した。【００１２】  本考案は、トランジスター（１６）のベースとエミッターに電流が流れなければ、コレクターとエミッターに電流が流れない、トランジスターの特性を利用した物である。【００１３】  ＬＥＤ（１１）に電圧が掛かれば、電源（１２，１３）の電圧が３Ｖから６Ｖ位であればＬＥＤ（１１）は十分に適度に明るく照らす。
【考案の効果】
【００１４】  固定抵抗（４）と固定抵抗（１０）によって、電源（１２，１３）電圧が４．５Ｖの時の常に流れる電流値は０．４５ｍＡ以下と、低い消費電力を得て、適度な照度を得た。【００１５】  固定抵抗（３）と素子（２）を並列に繋ぐ事で、可変抵抗（５）の値を変えるだけで、素子（２）があるにも関わらず、外光が暗いときにＬＥＤ（１１）が光る様にも、外光に関わらずＬＥＤ（１１）が光る様にもなり、また、回路実装の部品数も１０個と、少なくできた。
【図面の簡単な説明】
【００１６】
【図１】  本考案の回路。
【００１７】
【図２】  本考案の負極（１３）と電源（１４）の負極（１８）の間に、ヒューズ（１７）を入れた様子。
【００１８】
【図３】  電源（１４）の入ったケースを土台とした、本考案の回路（図１）を入れてあるケース（１５）の外観。
【００１９】
【図４】  乾電池等の電源（１４）の入った、透明な所（１）のある立方体のケース（１５）、つまり、素子（２）の上とＬＥＤ（１１）の上に、透明な所（１）のある立方体のケース（１５）の中に、本考案の回路（図１）を入れてあるケース（１５）の外観。
【００２０】
【図５】  灯籠（燈籠）（２１）において、本考案を入れる所。
【考案を実施するための形態】
【００２１】  灯籠（燈籠）（２１）の中に入れて、燈籠光として使える。
【００２２】  バッテリー付きの太陽電池と組み合わせて、夜間に外光が暗い所や外光が無い所の簡単な目印程度の光として使える。
【実施例】
【００２３】  灯籠（燈籠）（２１）の中に入れて、淡い燈籠光として使える。
【産業上の利用の可能性】
【００２４】  神社や寺院で、淡い蝋燭光まがいとして利用できる。
【符号の説明】
【００２５】１．  透明な所
２．  光に反応して抵抗値が変化する素子
３．  任意の値の抵抗
４．  任意の値の抵抗
５．  可変抵抗または固定抵抗
６．  導線の接続点
７．  任意の値の抵抗
８．  任意の値の抵抗
９．  任意の値の抵抗
１０．任意の値の抵抗
１１．ＬＥＤや照明等の電圧を必要とする物
１２．本考案の正極
１３．本考案の負極
１４．電源
１５．本考案を入れてあるケース
１６．トランジスター
１７．ヒューズ等
１８．電源の負極
１９．本考案を入れる所
２０．地面
２１．燈籠
【図１】
0003212198.tif 000003
【図２】
0003212198.tif 000004
【図３】
0003212198.tif 000005
【図４】
0003212198.tif 000006
【図５】
0003212198.tif 000007